(57)【要約】      （修正有）【課題】ベースプレートに対するカードの挿入角度を大きくすることができるような構成のカードコネクタを提供する。【解決手段】本発明に係るカードコネクタ１は、コンタクト３０が設けられたベースプレート１０と、ベースプレート１０に取り付けられたカードホルダ２０とを備え、挿抜口ＳＰからカード保持空間内にカードを挿入し、カードホルダ２０を用いてカードを保持するように構成されたカードコネクタであって、カードホルダ２０が、カードを保持するカード保持位置と、カード保持空間内でカードを挿抜可能なカード挿抜位置とにベースプレート１０に対してスライド移動可能に構成されており、カードホルダ２０をカード挿抜位置へスライド移動させると、カードホルダ２０の一端がベースプレート１０から離れる方向へ揺動し、挿抜口ＳＰの断面積が増加するように構成されている。【選択図】  図１
2004326457.tif 000002
【特許請求の範囲】
【請求項１】
コンタクトが設けられた平板状のベースプレートと、前記ベースプレートの上面を覆って取り付けられたカードホルダとを備え、前記ベースプレートの上面と前記カードホルダとの間にカードの挿抜口を有するカード保持空間が形成され、前記挿抜口から前記カード保持空間内に前記カードを挿入して前記カードに設けられた面端子と前記コンタクトとを当接接触させた状態で、前記カードホルダを用いて前記カードを保持するように構成されたカードコネクタであって、
前記カードホルダが、前記カードを保持するカード保持位置と、前記カード保持空間内で前記カードを挿抜可能なカード挿抜位置とに前記ベースプレートに対してスライド移動可能に構成されており、
前記カードホルダを前記カード挿抜位置へスライド移動させると、前記カードホルダの一端が前記ベースプレートから離れる方向へ揺動し、前記挿抜口の断面積が増加するように構成されていることを特徴とするカードコネクタ。
【請求項２】
前記ベースプレートと前記カードホルダとには、前記カードホルダを前記カード保持位置と前記カード挿抜位置とにスライド移動させるカム機構が設けられており、
前記カードホルダが前記カム機構により前記カード挿抜位置へスライド移動されると、前記カードホルダの一端が前記カム機構に構成される軸状体を揺動軸として前記ベースプレートから離れる方向へ揺動するように構成されていることを特徴とする請求項１に記載のカードコネクタ。
【請求項３】
前記カードホルダに形成されたホルダ側係合部と、前記ベースプレートに形成されて前記ホルダ側係合と係合可能なプレート側係合部とからなるロック機構を有し、
前記カードホルダを前記カード保持位置へスライド移動させると、前記ホルダ側係合部が前記プレート側係合部と係合し、前記ロック機構により前記カードホルダが前記カード保持位置でロック保持されるように構成されていることを特徴とする請求項１もしくは請求項２に記載のカードコネクタ。
【発明の詳細な説明】
【０００１】
【発明の属する技術分野】
本発明は、メモリーカード等のような所定情報が記録可能なカードと電子機器等との間に介在してこれら両者間の情報伝送を可能にするカードコネクタに関し、特にカードの着脱がカードホルダを介してなされる構成のカードコネクタに関する。
【０００２】
【従来の技術】
メモリーカードは内部に小型のＩＣチップを有して種々の情報を記録可能な構成となっており、小型の携帯機器にもメモリーカードが使用されるようになってきている。例えば、ＧＳＭ（Ｇｌｏｂａｌ  Ｓｙｓｔｅｍｓ  ｆｏｒ  Ｍｏｂｉｌｅ  ｃｏｍｍｕｎｉｃａｔｉｏｎ）方式の携帯電話にはＩＤカードとしてＳＩＭ（Ｓｕｂｓｃｒｉｂｅｒ  Ｉｄｅｎｔｉｆｉｃａｔｉｏｎ  Ｍｏｄｕｌｅ）カードと呼ばれる小型のメモリーカードが用いられており、基板に実装されたカードコネクタを介して電子機器等との間で情報伝送が行われる。
【０００３】
携帯機器に使用されるカードコネクタとして、従来から種々の型式のカードコネクタが考案されている。例えば、コンタクトが設けられたベースプレートに対してメモリーカード（以下、カードと称する）を保持するカードホルダが揺動開閉自在に取り付けられた構成のものや、ベースプレートにカード保持金具が固定された構成のものが知られている。
【０００４】
ベースプレートにカード保持金具が固定された構成のカードコネクタの例を図８および図９に示す。このカードコネクタ５００は、コンタクト５２０が設けられたベースプレート５１０にカード保持金具５３０が固定され、ベースプレート５１０とカード保持金具５３０との間隙部にカード５０１が挿入されるように構成される。このカードコネクタ５００にカード５０１を装着するには、図１０（ａ）〜（ｆ）に示すように、ベースプレート５１０に対して傾斜した向きで（あるいは平行な向きで）カード５０１をベースプレート５１０とカード保持金具５３０との間隙部に挿入し、所定のカード挿入位置に位置させる。なおこのとき、カード５０１はベースプレート５１０に対して傾斜した状態から徐々に変化し、所定のカード挿入位置に位置するときにはベースプレート５１０に対して平行な向きとなる。
【０００５】
これにより、カード５０１はその面端子（図示せず）がコンタクト５２０の接触部５２１と適切な接触圧で当接接触しベースプレート５１０上に係止保持される。カード５０１の取り外し時には、カード５０１を装着時とは反対方向にスライド移動させて係止状態を解除することで、カード５０１が接触部５２１およびカード保持金具５３０との摩擦力に抗してベースプレート５１０とカード保持金具５３０との間隙部から抜き出され、カード５０１を取り出すことができる。
【０００６】
【特許文献１】特開２０００−１００５０２号公報
【０００７】
【発明が解決しようとする課題】
しかしながら、このような構成では、ベースプレート５１０に対するカード５０１の挿入角度（図１０（ａ）における距離Ａ２に対する距離Ｂ２の割合）が小さいため、カード５０１を着脱する際のスペースを多くとる必要があり、基板上に実装される電子部品の実装密度が低くなる一因となっていた。
【０００８】
本発明は、このような問題に鑑みてなされたものであり、ベースプレートに対するカードの挿入角度を大きくすることができるような構成のカードコネクタを提供することを目的とする。
【０００９】
【課題を解決するための手段】
このような目的達成のため、本発明に係るカードコネクタは、コンタクトが設けられたベースプレートと、ベースプレートに取り付けられたカードホルダとを備え、ベースプレートとベースプレートに取り付けられたカードホルダとの間にカードの挿抜口を有するカード保持空間が形成され、挿抜口からカード保持空間内にカードを挿入してカードに設けられた面端子とコンタクトとを当接接触させた状態で、カードホルダを用いてカードを保持するように構成されたカードコネクタであって、カードホルダが、カードを保持するカード保持位置と、カード保持空間内でカードを挿抜可能なカード挿抜位置とにベースプレートに対してスライド移動可能に構成されており、カードホルダをカード挿抜位置へスライド移動させると、カードホルダの一端がベースプレートから離れる方向へ揺動し、挿抜口の断面積が増加するように構成されている。
【００１０】
このように構成されたカードコネクタによれば、カードホルダをカード挿抜位置へスライド移動させると、カードホルダの一端がベースプレートから離れる方向へ揺動し、挿抜口の断面積が増加するように構成されているため、挿抜口の大きさを大きくすることが可能となり、ベースプレートに対するカードの挿入角度を大きくすることができる。
【００１１】
また、ベースプレートとカードホルダとには、カードホルダをカード保持位置とカード挿抜位置とにスライド移動させるカム機構が設けられており、カードホルダがカム機構によりカード挿抜位置へスライド移動されると、カードホルダの一端がカム機構に構成される軸状体を揺動軸としてベースプレートから離れる方向へ揺動するように構成されていることが好ましい。このようにすれば、カードコネクタの構造を簡潔にすることができ、カードコネクタの製造コストを抑えることができる。
【００１２】
さらに、カードホルダに形成されたホルダ側係合部と、ベースプレートに形成されてホルダ側係合と係合可能なプレート側係合部とからなるロック機構を有し、カードホルダをカード保持位置へスライド移動させると、ホルダ側係合部がプレート側係合部と係合し、ロック機構によりカードホルダがカード保持位置でロック保持されるように構成されていることが好ましい。このようにすれば、カードホルダがカード保持位置から不必要に移動してしまうことを防止することができ、より確実にカードを保持することができる。
【００１３】
【発明の実施の形態】
以下、本発明の好ましい実施形態について図面を参照しながら説明する。本発明に係るカードコネクタを図１（ａ），（ｂ）および図２に示している。なお、本実施形態においては、説明の便宜上、図１（ａ）中に座標軸および方向を付記する様に、前後・左右および上下を定義して説明する。また、図１（ａ），（ｂ）ではカード８０の記載を省略している。
【００１４】
カードコネクタ１は、矩形平板状のベースプレート１０と、このベースプレート１０の上面を覆って取り付けられたカードホルダ２０と、ベースプレート１０に圧入固定された複数のコンタクト３０とを備え、図２に示すように、ベースプレート１０の上面とカードホルダ２０の内面との間にカード８０の挿抜口ＳＰを有するカード保持空間ＣＳが形成され、挿抜口ＳＰからカード保持空間ＣＳ内にカード８０を挿入してカード８０に設けられた面端子（図示せず）とコンタクト３０とを当接接触させた状態で、カードホルダ２０を用いてカード８０を保持するように構成されたカードコネクタである。
【００１５】
ベースプレート１０は、図３（ａ），（ｂ）に示すように、矩形平板状のプレート部１１や、このプレート部１１の左右側部に形成されたプレート壁部１５，１５などからなり、例えば、液晶ポリマー（ＬＣＰ）やポリフェニレンサルファイド（ＰＰＳ）、そしてポリアミドイミド（ＰＡＩ）などの電気絶縁性の樹脂材料を用いて射出成形等の成形手段により図示する形状に一体成形される。
【００１６】
プレート部１１の中央には、プレート部１１の前後方向に延びる長孔状のコンタクトスロット１２ａが左右に４個ずつ前後２列に並んで形成されるとともに、コンタクトスロット１２ａとプレート部１１の前後の側端面との間にはコンタクト３０を保持する蟻溝状のコンタクト保持溝１２ｂが形成されている。
【００１７】
プレート壁部１５の外側には、ホルダ受容部１６がプレート壁部１５の前後にわたり凹設されており、カードホルダ２０のカバー壁部２５がこのホルダ受容部１６内に位置するようになっている。ホルダ受容部１６の中央には、プレート壁部１５（ホルダ受容部１６）を二分するとともに前後方向へそれぞれ下傾して延びるように形成された爪逃げ部１７が設けられており、爪部２９を有するカードホルダ２０をベースプレート１０に取り付けやすくするとともに、カードホルダ２０がベースプレート１０に対して揺動するときに、カードホルダ２０の爪部２９がベースプレート１０に干渉しないようになっている。
【００１８】
ホルダ受容部１６の中央部後方には、本発明に係るカム機構としての軸状体１８が外方へ突出して形成されており、カードホルダ２０の軸係合穴２６と係合するようになっている。ホルダ受容部１６の前端部には、本発明に係るロック機構としてのプレート側係合部１９が鉤状に形成されており、カードホルダ２０のホルダ側係合部２７と係合するようになっている。
【００１９】
コンタクト３０は、コンタクト保持溝１２ｂに固定される基部３１と、この基部３１から細長いフィンガー状に延びて一部斜め上方に折り曲げられたコンタクトアーム部３２と、コンタクトアーム部３２の先端部に形成されて上方に凸な円弧状の接触部３３と、基部３１から下方に屈曲および水平に折り返されてコンタクトアーム部３２と反対方向に延びるリード部３４とからなり、例えば、ベリリューム銅やバネ用ステンレス鋼などの導電性金属材料の薄板をファインブランキングプレス等の成形手段により加工成形して図示する形状に構成する。
【００２０】
各コンタクト３０は、プレート部１１の前後に形成されたコンタクト保持溝２１ｂからコンタクトスロット１２ａに向けて挿入され、基部３１がコンタクト保持溝に圧入されてベースプレート１０に取り付けられる。コンタクト３０は、基部３１がコンタクト保持溝１２ｂに固定保持されると、コンタクトスロット１２ａに突出するコンタクトアーム部３２が片持ち支持された板バネのように作用し、アーム先端の接触部３３が上下方向に揺動変位自在に支持される。
【００２１】
このため、接触部３３は無負荷時においてコンタクトスロット１２ａからプレート部１１の上面に突出して位置しているが、上方から押圧されるとコンタクトアーム部３２が弾性変形して下方に揺動変位し、接触部３３を含むコンタクトアーム部３２全体がコンタクトスロット１２ａ内に押し沈められるように収容される。基部３１から下方に屈曲および水平に折り返されたリード部３４は、コンタクト取付姿勢においてプレート部１１の下面と略同一高さに位置しており、実装基板（図示せず）の回路パターンと位置整合されたリード部３４が基板上の回路パターンに半田接合（サーフェースマウント）される。
【００２２】
カードホルダ２０は、図４（ａ），（ｂ）に示すように、矩形平板状のカバー部２１や、このカバー部２１の左右側部に折り曲げ形成されたカバー壁部２５，２５、そして、カバー壁部２５，２５の前側下端部から内側へ折り曲げ形成されてカバー部２１と対向する爪部２９，２９などからなり、バネ用ステンレス鋼などの金属薄板を用い、切断、折り曲げ、孔あけ等の成形手段により各図に示す形状に形成される。
【００２３】
カバー部２１には、３本のスリット２２が左右へ延びて形成されており、カードホルダ２０をベースプレート１０へ取り付ける際に、カバー部２１を弾性変形させ易いようになっている。カバー壁部２５の後部側には、本発明に係るカム機構としての軸係合穴２６が、ベースプレート１０の軸状体１８より僅かに大きな径を有して、カバー壁部２５の後端部近傍から中央下部へ途中で下傾しつつ前後方向へ延びるように形成されており、軸状体１８と係合するようになっている。カバー壁部２５の前端部には、本発明に係るロック機構としてのホルダ側係合部２７が鉤状に形成されており、ベースプレート１０のプレート側係合部１９と係合するようになっている。
【００２４】
カードホルダ２０をベースプレート１０へ取り付けるには、まず、カードホルダ２０を弾性変形させて爪部２９，２９の間隔をベースプレート１０の幅程度に広げ、ベースプレート１０およびカードホルダ２０の向きを各図に示す方向に整合させた状態で、カードホルダ２０のカバー部２１をベースプレート１０（プレート部１１）の上面側に位置させるとともに、爪部２９，２９をベースプレート１０の上面側から側方を通過させてベースプレート１０（プレート部１１）の下面側に位置させる。そして、爪部２９をベースプレート１０の爪逃げ部１７に位置させるとともに、カードホルダ２０の軸係合穴２６をベースプレート１０の軸状体１８と係合させるようにして、カードホルダ２０を元の形状に戻す。
【００２５】
このようにして、カードホルダ２０がベースプレート１０（プレート部１１）の上面を覆って取り付けられると、図２に示すように、ベースプレート１０（プレート部１１）の上面とカードホルダ２０（カバー部２１）の下面との間にカード８０の挿抜口ＳＰを有するカード保持空間ＣＳが形成される。また、ベースプレート１０とカードホルダ２０とに設けられたカム機構により、カードホルダ２０がベースプレート１０に対して、図１（ａ）および図２に示すようにカード８０を保持するカード保持位置と、図１（ｂ）に示すようにカード保持空間ＣＳ内でカード８０を挿抜可能なカード挿抜位置とにスライド移動可能に取り付けられる。
【００２６】
カム機構は、前述したように、ベースプレート１０のプレート壁部１５（ホルダ受容部１６）に形成された軸状体１８と、カードホルダ２０のカバー壁部２５に形成された軸係合穴２６とから構成される。そして、カードホルダ２０をベースプレート１０に対し後方へスライド移動させると、軸状体１８および軸係合穴２６に案内されてカードホルダ２０がカード挿抜位置に位置する。
【００２７】
このとき、図１（ｂ）および図７（ａ）に示すように、軸状体１８が軸係合穴２６の前端部に相対移動してカバー壁部２５の中央下部に位置するとともに、カードホルダ２０の爪部２９がベースプレート１０における爪逃げ部１７の後方傾斜部分に当接して、カードホルダ２０の前端部が軸状体１８を揺動軸として上方、すなわちベースプレート１０から離れる方向へ揺動するようになっている。
【００２８】
これにより、挿抜口ＳＰの断面積が増加するため、挿抜口ＳＰの大きさを大きくすることが可能となり、ベースプレート１０に対するカード８０の挿入角度（図５（ａ）における距離Ａ１に対する距離Ｂ１の割合）を大きくすることができる。また、このようにすれば、カードコネクタの構造を簡潔にすることができ、カードコネクタの製造コストを抑えることができる。
【００２９】
一方、カードホルダ２０をベースプレート１０に対し前方へスライド移動させると、軸状体１８および軸係合穴２６に案内されてカードホルダ２０がカード保持位置に位置する。このとき、軸状体１８が軸係合穴２６の後端部に相対移動してカバー壁部２５の後部に位置するとともに、カードホルダ２０の爪部２９がベースプレート１０の爪逃げ部１７の前方に繋がって形成された爪係止部１７ａに係止し、カードホルダ２０がベースプレート１０に対し平行な状態でカード８０を係止保持するようになっている。
【００３０】
さらに、カードホルダ２０がカード保持位置に位置するときには、ベースプレート１０とカードホルダ２０とに設けられたロック機構によりカードホルダ２０がカード保持位置でロック保持される。
【００３１】
ロック機構は、前述したように、ベースプレート１０のプレート壁部１５に形成されたプレート側係合部１９と、カードホルダ２０のカバー壁部２５に形成されたホルダ側係合部２７とから構成され、図１（ａ）に示すように、カードホルダ２０がカード保持位置に位置すると、ホルダ側係合部２７がプレート側係合部１９と係合して、カードホルダ２０がカード保持位置でロック保持されるように構成される。これにより、カードホルダ２０がカード保持位置から不必要に移動してしまうことを防止することができ、より確実にカード８０を保持することができる。
【００３２】
次に、以上のように構成されるカードコネクタ１に、カード８０を取り付ける際の手順および各部の作用について、図５（ａ）〜（ｆ）、図６（ａ）〜（ｅ）および図７（ａ）〜（ｅ）を加えて参照しながら説明する。なお、図６（ａ）〜（ｅ）および図７（ａ）〜（ｅ）ではカード８０の記載を省略している。
【００３３】
カード８０を取り付ける際には、まず、図６（ａ）および図７（ａ）に示すように、カードホルダ２０をベースプレート１０に対し後方へスライド移動させ、カードホルダ２０をカード挿抜位置に位置させる。このとき、カム機構の軸状体１８が軸係合穴２６の前端部へ相対移動してカバー壁部２５の中央下部に位置するとともに、カードホルダ２０の爪部２９がベースプレート１０における爪逃げ部１７の後方傾斜部分に当接して、カードホルダ２０の前端部が軸状体１８を揺動軸として上方、すなわちベースプレート１０から離れる方向へ揺動する。すなわち、カードホルダ２０がカード挿抜位置に位置すると、カード８０の挿抜口ＳＰが後方へ移動するとともに挿抜口ＳＰの断面積が大きくなる。
【００３４】
次に、図５（ａ）〜（ｅ）に示すように、カードホルダ２０をカード挿抜位置に位置させた状態で、カード８０をベースプレート１０に対して傾斜した向きで挿抜口ＳＰからカード保持空間ＣＳ内へ挿入する。このとき、カード８０の先端部は、ベースプレート１０のプレート部１１および左右のプレート壁部１５，１５とカードホルダ２０のカバー部２１とに案内されて、滑らかに挿抜口ＳＰからカード保持空間ＣＳ内を通過してカードホルダ２０の後方へ移動し、カード８０が図５（ｅ）に示す所定の挿入位置に位置する。
【００３５】
続いて、カードホルダ２０をベースプレート１０に対し前方へスライド移動させ、カードホルダ２０をカード保持位置に位置させる。このとき、図６（ａ）〜（ｅ）および図７（ａ）〜（ｅ）に示すように、軸状体１８が軸係合穴２６の後端部に相対移動してカバー壁部２５の後部に位置するとともに、カードホルダ２０の爪部２９がベースプレート１０の爪係止部１７ａに係止し、カードホルダ２０の前端部が軸状体１８を揺動軸として下方、すなわちベースプレート１０へ近づく方向へ揺動するとともに、カード８０がカードホルダ２０に押圧されてベースプレート１０に対し平行となるように揺動する。
【００３６】
さらにこのとき、カードホルダ２０がカード保持位置に位置すると、ロック機構に構成されるホルダ側係合部２７がプレート側係合部１９と係合して、カードホルダ２０がカード保持位置でロック保持される。そして、図５（ｆ）に示すように、カード８０がカードホルダ２０によりベースプレート１０に対し平行な状態で係止保持されて、カードコネクタ１に装着される。
【００３７】
なお、このようにして装着されたカード８０を取り外すときには、カードホルダ２０を下方に押圧しながら後方にスライド移動させてロック機構によるロック保持を解除させるとともに、カードホルダ２０をさらに後方へスライド移動させてカード挿抜位置に位置させ、カード８０を静かに引き抜けばよい。
【００３８】
このため、以上のような構成のカードコネクタ１によれば、カードホルダ２０をカード挿抜位置へスライド移動させると、カードホルダ２０の前端部がベースプレート１０から離れる方向へ揺動し、挿抜口ＳＰの断面積が増加するように構成されているため、挿抜口ＳＰの大きさを大きくすることが可能となり、ベースプレート１０に対するカード８０の挿入角度（図５（ａ）における距離Ａ１に対する距離Ｂ１の割合）を大きくすることができる。
【００３９】
また、ベースプレート１０に形成された軸状体１８とカードホルダ２０に形成された軸係合穴２６とからなるカム機構により、カードホルダ２０がベースプレート１０に対してスライド移動可能に取り付けられるため、カードコネクタの構造を簡潔にすることができ、カードコネクタの製造コストを抑えることができる。
【００４０】
さらに、ベースプレート１０に形成されたプレート側係合部１９とカードホルダ２０に形成されたホルダ側係合部２７とからなるロック機構により、カードホルダ２０がカード保持位置でロック保持されるため、カードホルダ２０がカード保持位置から不必要に移動してしまうことを防止することができ、より確実にカード８０を保持することができる。
【００４１】
なお、上述の実施形態において、カム機構の一例として、ベースプレート１０に形成された軸状体１８と、カードホルダ２０に形成された軸係合穴２６とから構成されるカム機構を例示したが、これに限られるものではなく、カム機構が、カードホルダ２０に形成された軸状体と、ベースプレート１０に形成された軸係合穴とから構成されるようにしてもよい。
【００４２】
また、上述の実施形態において、ロック機構の一例として、ベースプレート１０に設けられたプレート側係合部１９と、カードホルダ２０に設けられたホルダ側係合部２７とを備え、ホルダ側係合部２７がプレート側係合部１９と係合する形態のロック機構を例示したが、これに限られるものではなく、例えば、ロック機構が、ベースプレート１０（もしくはカードホルダ２０）に設けられた嵌合軸部と、カードホルダ２０（もしくはベースプレート１０）に設けられた嵌合穴部とを備え、嵌合軸部が嵌合穴部と嵌合するように構成されてもよい。
【００４３】
さらに、上述の実施形態において、説明の便宜上、図１（ａ）に座標軸を付記したように前後、左右および上下方向を定義して説明したが、これらの方向はカードコネクタ本体の方向性や基板に実装されるときの取付姿勢等を規定するものではなく、コネクタを見る姿勢を変化させて前後左右等の呼称が入れ替わったとしても何ら影響を受けるものではない。また、上述の実施形態ではカード状記録媒体の一例としてＳＩＭカードを例示したが、カードの型式や大きさ等は当該カードに限定されるものではなく、他の型式のカード状記録媒体であっても同様に構成し同様の効果を得ることができる。
【００４４】
【発明の効果】
以上説明したように、本発明によるカードコネクタによれば、カードホルダをカード挿抜位置へスライド移動させると、カードホルダの一端がベースプレートから離れる方向へ揺動し、挿抜口の断面積が増加するように構成されているため、挿抜口の大きさを大きくすることが可能となり、ベースプレートに対するカードの挿入角度を大きくすることができる。
【００４５】
また、ベースプレートとカードホルダとには、カードホルダをカード保持位置とカード挿抜位置とにスライド移動させるカム機構が設けられており、カードホルダがカム機構によりカード挿抜位置へスライド移動されると、カードホルダの一端がカム機構に構成される軸状体を揺動軸としてベースプレートから離れる方向へ揺動するように構成されていることが好ましい。このようにすれば、カードコネクタの構造を簡潔にすることができ、カードコネクタの製造コストを抑えることができる。
【００４６】
さらに、カードホルダに形成されたホルダ側係合部と、ベースプレートに形成されてホルダ側係合と係合可能なプレート側係合部とからなるロック機構を有し、カードホルダをカード保持位置へスライド移動させると、ホルダ側係合部がプレート側係合部と係合し、ロック機構によりカードホルダがカード保持位置でロック保持されるように構成されていることが好ましい。このようにすれば、カードホルダがカード保持位置から不必要に移動してしまうことを防止することができ、より確実にカードを保持することができる。
【図面の簡単な説明】
【図１】（ａ）は本発明に係るカードコネクタに構成されるカードホルダがカード保持位置に位置する状態を示す斜視図であり、（ｂ）はカードホルダがカード挿抜位置に位置する状態を示す斜視図である。
【図２】本発明に係るカードコネクタの側断面図である。
【図３】（ａ）はベースプレートの上面側を示す斜視図であり、（ｂ）はベースプレートの下面側を示す斜視図である。
【図４】（ａ）はカードホルダの上面側を示す斜視図であり、（ｂ）はカードホルダの下面側を示す斜視図である。
【図５】本発明に係るカードコネクタにおいて、カードがカードコネクタに装着される様子を（ａ）〜（ｆ）の順で示す側断面図である。
【図６】本発明に係るカードコネクタにおいて、カードホルダがカード挿抜位置からカード保持位置へスライド移動する様子を（ａ）〜（ｅ）の順で示す斜視図である。
【図７】本発明に係るカードコネクタにおいて、カードホルダがカード挿抜位置からカード保持位置へスライド移動する様子を（ａ）〜（ｅ）の順で示す側面図である。
【図８】従来におけるカードコネクタの斜視図である。
【図９】従来におけるカードコネクタの側断面図である。
【図１０】従来のカードコネクタにおいて、カードがカードコネクタに装着される様子を（ａ）〜（ｆ）の順で示す側断面図である。
【符号の説明】
１  カードコネクタ
１０  ベースプレート
１１  プレート部
１５  プレート壁部
１８  軸状体（カム機構）
１９  プレート側係合部（ロック機構）
２０  カードホルダ
２１  カバー部
２５  カバー壁部
２６  軸係合穴（カム機構）
２７  ホルダ側係合部（ロック機構）
２９  爪部
８０  カード
ＣＳ  カード保持空間
ＳＰ  挿抜口
【図１】
2004326457.tif 000003
【図２】
2004326457.tif 000004
【図３】
2004326457.tif 000005
【図４】
2004326457.tif 000006
【図５】
2004326457.tif 000007
【図６】
2004326457.tif 000008
【図７】
2004326457.tif 000009
【図８】
2004326457.tif 000010
【図９】
2004326457.tif 000011
【図１０】
2004326457.tif 000012